(57)【要約】【課題】転送対象である動画や静止画等のデータ群を、一回の操作により、画像データ群を、外部に接続された情報記録装置もしくは記録媒体に転送する方法およびその情報記録装置による情報転送制御方法を提供する。【解決手段】この発明の情報記録装置２１１は、脱着可能もしくは予め内蔵されたＨＤＤ１２２を有するカメラ装置１のＨＤＤよりも少ない記録容量を有し、光ディスクの記録容量に対応する記録容量の新たな記録領域１２２−１（２〜ｎ）をＨＤＤの記録領域内に設け、外部に接続された記録装置により光ディスクの記録容量を上限として、設定された新たな記録領域に格納されたデータ群を、その領域に格納されたデータ群を単位として、光ディスクに、一回の操作により転送可能である。【選択図】  図７
2006309896.tif 000002
【特許請求の範囲】
【請求項１】
第１の記録容量を有する第１の記録媒体を含み、前記第１の記録媒体に前記第１の記録容量と等しいか前記第１の記録容量よりも小さい第２の記録容量の第２の記録領域を前記第１の記録媒体に物理的あるいは仮想的に定義した状態で前記第２の記録領域に所定形式のデータ群を保持可能な情報記録装置の、前記第２の記録領域に保持されている前記所定形式のデータ群を保持可能な第２の記録媒体を有し、前記第２の記録媒体に前記第１の記録媒体の前記第２の記録領域に格納されている前記所定形式のデータ群が前記第２の記録媒体に転送可能か否かを判断し、前記第２の記録媒体への転送が可能な場合に、前記第１の記録媒体の前記第２の記録領域に保持されている前記所定形式のデータ群を、前記第２の記録領域に保持されているデータ群を単位として、前記第２の記録媒体への一回の操作による転送を可能とする情報記録装置。
【請求項２】
前記情報記録装置は、前記第１の記録媒体の前記第２の記録領域に保持されている前記所定形式のデータ群を、前記第２の記録領域に保持されているデータ群を単位として、前記第２の記録媒体への一回の操作による転送を可能とする制御コマンドを入力可能な入力ボタンを有することを特徴とする請求項１記載の情報記録装置。
【請求項３】
ある規格で定義された第１の記録媒体に静止画・動画といったデータ群を記録する機能と手段を有し、物理的あるいは仮想的に前記第１の記録媒体と同じ容量の第２の記録領域を有する情報記録再生装置と、
有線、無線において接続する機能を有し、前記情報記録再生装置の前記第２の記録領域のデータ群を、１回の操作で、前記第１の記録媒体に複製または移動する手段と機能、
を有することを特徴とする情報記録装置。
【請求項４】
画像データを記録可能な第１の大きさの第１の記録領域を有し、第１の記録領域と等しいか第１の記録領域の第１の大きさよりも大きさの小さい記録領域であって、第１の記録領域とは独立に設けられた第２の記録媒体への画像データの転送のために、第２の記録領域と等しい大きさの第３の記録領域を第１の記録領域内に、物理的にもしくは仮想的に規定し、
第３の記録領域に、順に転送対象の画像データを格納し、
第２の記録領域を保持した第２の記録媒体への第３の記録領域に格納された画像データの転送に際して第３の記録領域に保持されている画像データ全体を単位として、第３の記録領域への一回の操作による転送することを特徴とするデータ転送方法。
【請求項５】
第３の記録領域に保持されている画像データの転送に際して、第３の記録領域に格納されている画像データの大きさが第２の記録媒体へ転送可能な大きさであることを判断することを特徴とする請求項５記載のデータ転送方法。
【請求項６】
第３の記録領域に保持されている画像データの転送に際して、第３の記録領域に保持されている画像データを単位として第２の記録媒体への一回の操作による転送を可能とする制御コマンドが利用されることを特徴とする請求項５または６記載のデータ転送方法。
【請求項７】
カメラ装置が保持する記録装置内に所定のサイズの転送のための記録領域を確保し、
撮影された画像のデータ群を転送のための記録領域に順に格納し、
転送のための記録領域に格納されたデータ群を、その記録領域内のデータ群を単位として転送可能な転送コマンドを、データ群が転送される対象である記録装置により発生させて、一括して転送可能、
としたことを特徴とするデータ転送方法。
【請求項８】
転送コマンドを出力するための専用の入力コマンドが用いられることを特徴とする請求項７記載のデータ転送方法。
【請求項９】
データ供給元において予め決められた容量のデータを保持可能なメモリと、
前記メモリに、データ供給元において格納されたデータを取り込むインタフェースと、
前記インタフェースを介して前記メモリに取り込まれた前記データを、異なる形態の記録媒体に転送し、記録する書き込みユニットと、
前記書き込みユニットへのデータ供給元からの前記データの転送を指示する転送ボタンと、
前記転送ボタンにより前記データの転送が指示された時点で、データ供給元からの前記データの転送を許可する制御装置と、
を有することを特徴とする情報記録装置。
【発明の詳細な説明】
【技術分野】
【０００１】
この発明は、静止画や動画を記録可能なカメラ装置により保持されている画像データ群を、外部に接続された情報記録装置もしくは記録媒体に転送する方法およびその情報記録装置による情報転送制御方法に関する。
【背景技術】
【０００２】
カメラ装置は、半導体メモリ（メモリカード）やハードディスク装置（ＨＤＤ）等の記録媒体に、静止画や動画を記録可能である。
【０００３】
撮像済み画像は、ユーザによるカメラ装置の操作や、カメラ装置が接続される管理装置（パーソナルコンピュータ）や外部記録装置等からの転送リクエストにより、例えば管理装置内の（あるいは管理装置を介して）容量の大きなＨＤＤや光ディスクもしくはメモリカード等に代表される記録媒体に転送（記録）可能である。
【０００４】
なお、特許文献１には、デジタルスチルカメラにおいて、インターネット経由で画像を転送可能なデジタルカメラ装置が開示されている。
【特許文献１】特開２００４−１６５８５２号公報
【発明の開示】
【発明が解決しようとする課題】
【０００５】
特許文献１に示された画像転送方法では、転送対象である（転送すべき）動画や静止画等のデータ群は、ユーザによる目視等の確認、および取捨選択が必要である。
【０００６】
本発明の目的は、転送対象である（転送すべき）動画や静止画等のデータ群を、ユーザにより予め設定された条件およびサイズに基づいて、一回の操作により、任意の情報記録装置もしくは記録媒体に転送する方法およびその情報記録装置による情報転送制御方法を提供するものである。
【課題を解決するための手段】
【０００７】
この発明は、上記問題点に基づきなされたもので、第１の記録容量を有する第１の記録媒体を含み、前記第１の記録媒体に前記第１の記録容量と等しいか前記第１の記録容量よりも小さい第２の記録容量の第２の記録領域を前記第１の記録媒体に物理的あるいは仮想的に定義した状態で前記第２の記録領域に所定形式のデータ群を保持可能な情報記録装置の、前記第２の記録領域に保持されている前記所定形式のデータ群を保持可能な第２の記録媒体を有し、前記第２の記録媒体に前記第１の記録媒体の前記第２の記録領域に格納されている前記所定形式のデータ群が前記第２の記録媒体に転送可能か否かを判断し、前記第２の記録媒体への転送が可能な場合に、前記第１の記録媒体の前記第２の記録領域に保持されている前記所定形式のデータ群を、前記第２の記録領域に保持されているデータ群を単位として、前記第２の記録媒体への一回の操作による転送を可能とする情報記録装置、を提供するものである。
【発明の効果】
【０００８】
本発明は、カメラ装置に保持された画像データを、転送先記録媒体である外部記録装置の操作により、外部記録装置に用意された記録媒体の容量に合わせ、簡単な操作でカメラ装置から転送可能である。特に、転送先の記録媒体がカメラ装置から分離された特定の規格の記録媒体を再生可能の再生専用機による再生を考慮したデータ群である場合、再生専用機のみを保有するユーザに要求される再生までの手順も、簡略化できる。
【発明を実施するための最良の形態】
【０００９】
以下、図面を参照して、この発明の実施の形態について詳細に説明する。
【００１０】
図１（ａ）および図１（ｂ）は、本発明が適用可能な動画および静止画ならびに音声等が記録可能なカメラ装置の概略を示す。
【００１１】
図１（ａ）は、電子カメラ装置（撮影装置）１を撮影レンズ側から見た状態を示す。
【００１２】
電子カメラ装置１は、撮像レンズ１１、フラッシュ１２、（静止画撮影用）シャッターボタン１３およびリモコン受信部１４等を有する。電子カメラ装置１はまた、パーソナルコンピュータや、外部電源装置（ＡＣアダプタ）等との接続に利用されるアダプタ接続部（接続端子）１５を有する。
【００１３】
図１（ｂ）は、電子カメラ装置１を、撮像レンズ１１と逆の側から見た状態を示す。
【００１４】
カメラ装置１はまた、主電源スイッチを兼ねるフレーム２１に一体に組み込まれた液晶モニタ（ＬＣＤパネル）２２およびスピーカ２３を有する。電子カメラ装置１はさらに、フレーム２１が閉じられる（電子カメラ装置本体の所定の位置に収容される）位置でオフされる所定の位置に、主電源スイッチ２４を有する。
【００１５】
また、カメラ装置１の所定の位置には、動画の記録（録画）の開始および停止（終了）の指示（制御コマンド）を入力可能な録画ボタン２５、動作モードやさまざまな条件の入力および決定の指示を選択する指示（制御コマンド）を入力可能なジョグ（ＪＯＧ）ダイアル２６、ジョグダイアル２６により選択（ガイド）される指示を確定（実行）するための指示（制御コマンド）を入力可能な決定（ＯＫ）ボタン２７等が設けられている。なお、ＯＫ（決定）ボタン２７は、例えばジョグダイアル２６の回転中心に同軸（同心）状に位置される。
【００１６】
図２は、図１に概要を示したカメラ装置の制御系の一例を示す。
【００１７】
撮像レンズ１１から取り込まれた被写体像は、例えばＣＣＤセンサである撮像素子３１の結像面に結像され、アナログ信号（撮像画像データ）に変換される。被写体像は、撮像素子（ＣＣＤセンサ）３１により、光の明暗に基づいて電気信号に変換され、アナログ−デジタル（Ａ／Ｄ）変換部１０１によりデジタル信号に変換され、（カメラ）信号処理部１０２に入力される。
【００１８】
信号処理部１０２では、Ａ／Ｄ変換部１０１によりデジタル信号に変換された撮像画像データに、例えばガンマ補正、色信号分離、あるいはホワイトバランス調整等の処理が施される。
【００１９】
カメラ信号処理部１０２から出力された撮像画像データは、メモリコントローラ１０３を経由して画像表示処理部１０４に供給される。画像表示処理部１０４は、ビデオインタフェース（Video I/F）／ＯＳＤ（On Screen Display）処理部１０５およびビデオデコーダ（Video Decoder）１０６等を含み、表示出力のための画像信号すなわちビデオ信号を生成する。
【００２０】
ビデオインタフェースおよびＯＳＤ処理部１０５では、フレーム２１にマウントされているＬＣＤパネル（以下、単にＬＣＤと呼称する）２２（図１（ｂ）参照）に対し、図２に概略的に示したような「一発転送」を可能とする信号の入力に利用される『一発転送』アイコン（ボタン）２２−２０１に対応する表示が作成され、合成される。
【００２１】
ビデオデコーダ１０６の出力は、液晶パネル駆動回路（LCD Driver）１０７に入力され、液晶パネル駆動回路１０７により、ＬＣＤパネル２２に、表示される。
【００２２】
カメラ信号処理部１０２から出力された撮像画像データは、記録時においては、圧縮／伸長部１０８で圧縮され、主制御装置（ＣＰＵ）１１１の制御の下で、記録メディアコントローラ１２１を経由して、主記録媒体、例えばハードディスク装置（以下ＨＤＤと略称する）１２２、あるいは付随する取り出し可能な（脱着式の）記録媒体、例えば不揮発性メモリであるメモリカード１２３に記録される。なお、メモリカード１２３は、例えばＳＤカード（登録商標）や、mini−ＳＤ（登録商標）と呼ばれる半導体メモリ（ＳＤ記録媒体）が利用可能である。もちろん、ＨＤＤ１２２に換えて、例えば光ディスクが用いられてもよいことはいうまでもない。また、圧縮／伸長部１０８においては、静止画は、例えばＪＰＥＧ規格等の、動画（非静止画）は、ＭＰＥＧ規格等の、周知の圧縮方式により圧縮される。
【００２３】
なお、ＨＤＤ１２２の容量は、例えば広く普及しているＤＶＤ規格の一回書込型（ＤＶＤ−Ｒ）ディスクの容量に比較して１０倍程度である。従って、ＳＤ記録媒体１２３の記録容量は、ＨＤＤ１２２の容量よりも、現在のところ少ない。
【００２４】
ＨＤＤ１２２またはメモリカード１２３に既に記録されている画像を再生する際には、ＨＤＤ１２２あるいはメモリカード１２３から読み出された画像が圧縮／伸長部１０８において伸長され、メモリコントローラ１０３を通じて、上述の画像表示処理部１０４に供給され、ＬＣＤ２２に表示される。
【００２５】
画像表示処理部１０４においては、詳述しないが、メモリコントローラ１０３に接続されたメインメモリ（メモリ回路例えばＳＤＲＡＭ）１０９およびバッファ（ワーク）メモリ１１０により、画像データの縮小（サムネイル画像の作成）や詳述しないが編集モードにおける編集、画像ファイルの順番の入れ替え等が実行される。
【００２６】
また、バッファメモリ１１０は、１画面分の画像データあるいは複数画面分の画像データを保存することができる。なお、バッファメモリ１１０に保存されている画像データはメモリコントローラ１０３を介して画像表示処理部１０４に入力されるので、ＬＣＤ２２において、逐次再生（モニタ）可能である（画像編集時の状態を確認できる）。
【００２７】
カメラ装置１においてはまた、編集時あるいは撮影時には、音声入出力処理部１３１に接続されたマイク１３２あるいはオーディオ入力端（Audio In）により、音声／オーディオデータを取り込むことができる。音声データは、撮影された画像データと関連付けられて、ＨＤＤ１２２またはメモリカード１２３の所定の領域に記録される。
【００２８】
記録された音声データは、映像（画像）の再生時において、撮像した画像データと同時にＨＤＤ１２２またはメモリカード１２３から読み出され、音声出力として、スピーカ１３３またはオーディオ出力端（Audio Out）に出力される。もちろん、再生時において、スピーカ１３３から出力される音声は、消音（出力レベルを「０」と）することも可能である。
【００２９】
ところで、記録媒体であるＨＤＤ１２２においては、その容量から、静止画を記録可能な画像数および動画を記録する際の記録時間（タイトル数）は、数１００〜数１０００にも及ぶ。このため、記録画像やタイトルの送りや戻しには、高速性が要求される。
【００３０】
従って、ジョグダイアル２６とＯＫボタン２７により、多くの画像やタイトルの選択やさまざまなモードの設定が、ストレスなく処理可能である（多くの画像やタイトルを連続してサーチして特定する際に、ジョグダイアル２６のような操作性の高いスイッチが有益である）。また、ジョグダイアル２６により入力される内容（ユーザによる操作）、あるいはカメラ装置１の動作状態、もしくはメニューボタン２９によるメニュー画面の表示等は、上述したＣＰＵ１１１、メモリ回路１０９、画像表示処理部１０４、ビデオインタフェースおよびＯＳＤ処理部１０５等を介して合成され、ＬＣＤ２２に表示される。
【００３１】
なお、ＯＫ（決定）ボタン２７は、ＣＰＵ１１１に、ボタン２７が押された（オン／オフ信号が入力された）情報を与える。ＣＰＵ１１１は、その情報（ボタン２７）から入力されるオン／オフ信号に基づいて、ジョグダイアル２６により選択されている画像やタイトルあるいはモードを確定し、再生あるいはモードの設定等の処理を実行する。
【００３２】
ジョグダイアル２６は、ＣＰＵ（主制御装置）１１１に、その回転角と回転スピードの情報を与える。ＣＰＵ１１１は、それらの情報から（次の）画像の表示スピード等を制御することが可能である。
【００３３】
また、ＯＫ（決定）ボタン２７は、ジョグダイアル２６の回転中心に同軸（同心）状に位置される。なお、ＯＫ（決定）ボタン２７は、概ね中心（軸方向）に向けて力がかけられた（押された）場合は、上述のオン信号を入力可能で、円周上の円周を概ね４等分した４方向（一般に、「上下左右」と呼称される）のいずれかに力が加えられることで、例えばＬＣＤ２２に表示されている画像を、力が加えられている方向にスクロールさせる制御コマンド（指示）を入力させることができる。
【００３４】
図３は、図１および図２に示したカメラ装置１とアダプタ接続部１５とを介して接続される詳述しない拡張接続装置（クレードル）２０１を経由して接続される任意台数／複数種類の外部記録装置、例えばＤＶＤ−ＲディスクやＣＤ−Ｒディスクを記録媒体Ｍとする専用の書き込み機器２１１やパーソナルコンピュータ（以下、ＰＣと略称する）２２１の接続例を示す概略図である。なお、専用の書き込み機器２１１およびＰＣ２２１は、有線もしくは無線によってカメラ装置１と接続される。
【００３５】
図３に示される通り、書き込み機器２１１は、クレードル２０１を介してカメラ装置１からの画像データ（ファイル群）を受け取るインタフェース２１３、インタフェース２１３を経由して供給される画像データを保持するメインメモリ２１６ならびにメインメモリ２１６に保持されている画像データを光ディスクドライブ２１８にセットされた記録媒体（光ディスク）Ｍに記録する際の転送速度の整合等に利用されるバッファメモリ２１７等を有する。なお、上述の個々の構成は、ＣＰＵ２１２により制御される。また、メインメモリ２１６（もしくはＲＯＭ２１９）には、後段に説明するが、カメラ装置１において予め所定のサイズに規定された画像データ群を、（カメラ装置１側または）書き込み機器２１１の一回の操作で記録媒体（光ディスク）Ｍに、転送を可能とするための「アプリケーションソフト」がインストール（記憶）されている。
【００３６】
また、ＣＰＵ２１２には、Ｉ／Ｏポート２１４を通じて、カメラ装置１側における操作に拘わりなく、一発転送を可能とする「一発転送ボタン」２１５が接続されている。
【００３７】
ＰＣ２２１は、例えばネットワーク網（ＬＡＮ）を通じ、クレードル２０１を経由してカメラ装置１と接続されている。なお、画像データ（ファイル群）を受け取る可能であれば、ネットワーク網による接続に限らず、例えばＵＳＢ（Universal Serial Bus）により接続されてもよいことはいうまでもない。
【００３８】
ＰＣ２２１は、ネットワークコントローラ（インタフェース）２２３、ネットワークコントローラ２２３を経由して供給される画像データを保持するメインメモリ２２５ならびにメインメモリ２２５に保持されている画像データを光ディスクドライブ２２９にセットされた記録媒体（光ディスク）Ｍに記録する際の転送速度の整合等に利用されるバッファメモリ２２６等を有する。なお、上述の個々の構成は、ＭＰＵ２２２により制御される。
【００３９】
また、ＭＰＵ２２２には、記録容量の大きなハードディスク装置（ＨＤＤ）２２４や、表示装置２２８に所定の情報を表示させるための表示制御部２２７が接続されている。なお、ＨＤＤ２２４（またはメインメモリ２２５）には、後段に説明するが、カメラ装置１において予め所定のサイズに規定された画像データ群を、（カメラ装置１側または）ＰＣ２２１の一回の操作で記録媒体（光ディスク）Ｍに、転送を可能とするための「アプリケーションソフト」がインストール（記憶）されている。
【００４０】
図４は、図３に示した書き込み機器（バーナー）の表示系および信号入力系、すなわち図３に概略ブロックを示したバーナーの正面パネルのＬＥＤおよびスイッチ類の配列の一例を示す概略図である。
【００４１】
図４に示されるように、書き込み機器２１１は、例えば光ディスクＭが収容される図示しないディスクトレイ（ディスクトレイが格納される部分の前面のパネル２１１−１が見える）、例えば背面に設けられる図示しない電源スイッチ、電源スイッチがオンされたことを報知可能なパワー（POWER）ＬＥＤ２１１−２、図示しないディスクトレイのオープン／クローズを可能とする信号の入力に利用されるイジェクト／クローズ（EJECT/COLSE）ボタン２１１−３、ディスクトレイにセットされた光ディスクＭへの情報の書き込みの制御に利用されるBURN（「一発転送」））ボタン２１１−４、および光ディスクＭへの情報の書き込みを中止可能なキャンセル信号の入力に利用されるキャンセル（CANCEL）ボタン２２１−５を、その前面に有する。なお、それぞれのスイッチ（ボタン）は、図３により先に説明したＩ／Ｏポート２１４に、所定の信号を入力可能である。
【００４２】
また、書き込み機器２１１は、同前面パネルに、動作状態を、「色」および「点灯」／「点滅」等により報知可能な２つのＬＥＤ２１１−１１および２１１−１２を有する。なお、ＬＥＤ２１１−１１は、光ディスクドライブ２１８の動作状態をユーザに報知可能なステータス（SATATUS）を表示できる。また、ＬＥＤ２１１−１２は、光ディスクドライブ２１８による光ディスクＭへの情報の書き込み動作や光ディスクＭの有無を報知できる。
【００４３】
次に本発明のカメラ装置における特徴的な構成及び画像データ処理方法を説明する。
【００４４】
図５は、カメラ装置１のＨＤＤ１２２のデータ記録領域を模式的に示している。
【００４５】
例えば、カメラ装置１においては、予め「ＤＶＤ−Ｒ」ディスク向けの『４．７Ｇバイト』のデータを記録可能な容量に、記録領域１２２−１が区分（ＤＩＭ）されている。もちろん、転送先として想定される記録媒体が、カメラ装置１に着脱可能なメモリカード１２３である場合には、記録領域１２２−１の容量は、ユーザにより用意されたメモリカード１２３と同容量、例えば『２５６Ｍバイト』等に、規定される。また、記録領域１２２−１の容量は、「ＣＤ−Ｒ」ディスク向けの場合には『６５０Ｍバイト』に、現在実用化に達した「ＨＤ  ＤＶＤ」ディスク向けの場合には『１５Ｇバイト』に、それぞれ、設定される。もちろん、記録領域１２２−１を、例えば「ＤＶＤ−Ｒ」ディスク向けとし、記録領域１２２−１に加えて、例えばメモリカード１２３向けに、第２の記録領域１２２−２（もしくはさらに異なる容量の記録媒体向けに、第３以降の記録領域１２２−３〜ｎ）を確保することも可能である。
【００４６】
なお、例えば、カメラ装置１においては、図６に概略的に示すように、ＨＤＤ１２２の記録領域を、想定される記録媒体に合わせて領域分割することなく、仮想的に複製または移動先の記録媒体（１０６，Ｍ，ＭはＤＶＤ−規格やＣＤ−Ｒ規格の光ディスクを含む）の容量に合わせて確保することも可能である。
【００４７】
すなわち、ＨＤＤ１２２の記録領域内に、データベースファイル１２２−Ｄを設け、ＨＤＤ１２２に記録されるデータ群から、複製あるいは移動の対象となるデータ群をデータベースファイル１２２−Ｄに記録する。合わせて、既に記録されているデータ群のデータサイズを記録する。
【００４８】
一方で、複製または移動先の記録媒体に合わせた、仮想的に確保すべき容量（サイズ）を記録し、データ群がデータベースファイル１２２−Ｄに追加されるたびに、容量を計算して、仮想的に確保した容量と比較する。
【００４９】
このように、データベースファイル１２２−ＤをＨＤＤ１２２に用意することで、仮想的に、「一発転送」可能なサイズのデータ領域を確保することができる。
【００５０】
カメラ装置１により撮影（撮像）された画像（動画あるいは静止画）の画像データは、ＨＤＤ１２２の記録領域１２２−１に、所定の規則に従って格納される。なお、記録領域１２２−１には、予め任意の条件の画像データを区分して保持可能に規定された「画像ファイル（フォルダ）」や「アルバム（フォルダの管理単位）」が形成されてもよい。その場合、撮影された画像は、撮影に先だって指定された「フォルダ」や「アルバム」に格納される。
【００５１】
なお、カメラ装置１により撮影（撮像）された画像の合計のサイズが、図５および図６に示したような、カメラ装置１（のＨＤＤ１２２）から別の記録媒体への画像データ群の転送を想定して用意されたサイズの記録領域のサイズと等しいか、その残り容量が所定の割合よりも少なくなった場合には、ビデオインタフェース／ＯＳＤ１０５を通じてカメラ装置１のＬＣＤ２２に、例えば『一発転送領域の記録容量が足りません』または『一発転送領域の画像データを一発転送により移動してください』等のメッセージが表示される。
【００５２】
また、図５および図６に示した記録領域のサイズは、詳述しないが、カメラ装置１における「メニュー画面（さまざまな設定の入力に用いられる）」から、ユーザにより任意に設定される。
【００５３】
詳細には、図７を用いて以下に説明するフローに従って、カメラ装置において予め所定のサイズに規定されている画像データ群を、（カメラ装置側または）書き込み機器の一回の操作で記録媒体（光ディスク）に、「一発転送」が可能となる。
【００５４】
図７において、書き込み機器（バーナー（図３参照））２１１とカメラ装置１とが、クレードル２０１が介在された状態で、有線もしくは無線により接続されることで、バーナー２１１に予めインストールされているアプリケーションソフトであるデバイスディテクタ（Device Detector）が起動される（バーナー２１１とカメラ装置１とが、既に接続されている状態でクレードル２０１の操作によりカメラ装置１とバーナー２１１との接続が選択された場合には、このステップは省略される）。なお、バーナー２１１とカメラ装置１との接続は、例えばＵＳＢによる接続であれば、カメラ装置１のアダプタ接続部１５とＵＳＢケーブルとの接続による接続も可能である。
【００５５】
ステップＳ６０１により、バーナー２１１において、カメラ装置１が接続されたことが検出される（Ｓ６０２）。
【００５６】
ステップＳ６０２において、バーナー２１１とカメラ装置１とが接続されたことが検出されるとバーナー２１１のステータス（SATATUS）ＬＥＤ２１１−１１が、例えば緑色に点灯される（２色タイプが用いられる場合には、例えば赤色点灯から緑色点灯に変化される等であってもよい）。
【００５７】
同時に（または、ステップＳ６０２により、カメラ装置１とバーナー２１１との接続が完了した時点で）、カメラ装置１のＬＣＤ２２には、図２に簡易的に示したような『一発転送』ボタン２２−２０１が表示される（Ｓ６０３）。
【００５８】
以下、バーナー２１１の『ＢＵＲＭ（書き込み）』ボタン（『一発転送ボタン』）２１１−４がユーザによりオンされることで、カメラ装置１において予め所定のサイズの記録領域（１２２−１（図５参照））に保持されているデータ群の転送が準備される。なお、ここでは、カメラ装置１のＨＤＤ１２２の第１の領域１２２−１に保持されているデータ群の転送について説明する。また、キャンセル（CANCEL）ボタン２１１−５がオンされた場合には、書き込み（バーニング）が中止されることはいうまでない（Ｓ６０４）。
【００５９】
ステップＳ６０４において、転送対象（転送されようとしている）データ群のサイズが出力され、バーナー２１１において、そのサイズが光ディスクライブ２１８に用意されている光ディスク（ＤＶＤ−ＲまたはＣＤ−ＲもしくはＨＤ  ＤＶＤ）Ｍの残り記録容量と比較される（Ｓ６０５）。
【００６０】
ステップＳ６０５において比較された光ディスクＭの残り記録容量とカメラ装置１から転送されようとしているデータ群のサイズが記録可能なサイズである場合（Ｓ６０５−Ｙｅｓ）、カメラ装置１のＨＤＤ１２２の領域１２２−１に保持されているデータ群がバーナー２１１に転送され、バーナー２１１に組み込まれている光ディスクドライブ２１８に用意されている光ディスクＭに記録される（書き込まれる）。もちろん、総てのデータ群が１回に転送または書き込まれる必要はなく、バーナー２１１により規定された単位で、バーナー２１１のバッファメモリ２１７に転送され、バーナー２１１に組み込まれている光ディスクドライブ２１８が転送可能な転送レートにより転送されて光ディスクＭに書き込まれる（Ｓ６０６）。
【００６１】
これに対し、ステップＳ６０５において、カメラ装置１から転送されようとしているデータ群のサイズが予め指定されている種類の１枚の光ディスクＭに記録可能であるが、現在光ディスクライブ２１８にセットされている光ディスクＭの残り記録容量よりも大きい場合（Ｓ６０５−Ｎｏ）、例えば『光ディスクＭの記録容量が不足しています』等の、光ディスクＭの交換を要求するメッセージが、カメラ装置１のＬＣＤ２２に表示される。同時に、バーナー２１１のディスク（DISC）ＬＥＤ２１１−１２による表示が、例えば緑色の点灯から赤色の点滅に変化される（単色のＬＥＤが用いられる場合には、単に点滅またはオン（点灯）時間とオフ（消灯）時間の差が異なる時間差点滅等の表示パターンが用いられる。）（Ｓ６０７）。
【００６２】
この場合、例えばバーナー２１１側の光ディスクライブ２１８のイジェクト／クローズ（EJECT/COLSE）ボタン２１１−３の操作等がモニタされ、光ディスクＭが交換されたか否かが検知され（Ｓ６０８）、光ディスクＭが交換または再セットされたと判断された場合（Ｓ６０８−Ｙｅｓ）、再び光ディスクライブ２１８にセットされた光ディスクＭの残り記録容量がチェックされる（Ｓ６０５）。
【００６３】
ステップＳ６０８において、光ディスクＭが交換されたか否かが識別できない場合（Ｓ６０８−Ｎｏ）、例えば所定時間経過後に「一発転送」が（強制的に）終了される（Ｓ６０９）。
【００６４】
より詳細には、（ステップＳ７０１において、カメラ装置１とバーナー２１１とが接続され、Ｓ７０１）、カメラ装置１の電源スイッチ２４（図１（ｂ）参照）およびバーナー２１１の図示しない電源スイッチがオン（PUSH）されると（Ｓ７０２）、パワー（POWER）ＬＥＤ２１１−２が、例えば緑色に点灯する（Ｓ７０３）。
【００６５】
続いて、バーナー２１１により、カメラ装置１が識別される（Ｓ７０４）。
【００６６】
次に、カメラ装置１のマウント状態がチェックされ（Ｓ７０５）、正常にマウントされていることが検知された場合（Ｓ７０５−Ｙｅｓ）、ステータスＬＥＤ２１１−１１が、例えば緑色に点灯される（Ｓ７０６）。
【００６７】
以下、書き込み（BURN（「一発転送」））ボタン２１１−４のオン（PUSH）されたか否か（Ｓ７０７）のチェック（オン＝Ｙｅｓ）である入力待ちが継続される（Ｓ７０８）。
【００６８】
続いて、カメラ装置１から転送対象の画像データ群のリストであるリストファイルが取得され（Ｓ７０９）、カメラ装置１からデータが読み込まれる（Ｓ７１０）。
【００６９】
次に、図示しないディスクトレイがオープンされ（Ｓ７１１）、イジェクト／クローズ（EJECT/COLSE）ボタン２１１−３がオン（PUSH）されたか否か（Ｓ７１２）のチェック（オン＝Ｙｅｓ）である入力待ちが設定される（Ｓ７１３）。
【００７０】
ステップＳ７１３において、イジェクト／クローズ（EJECT/COLSE）ボタン２１１−３がオン（PUSH）されたことが検知されると、ディスクトレイにディスクがセットされたか否かがチェックされ（Ｓ７１４）、ディスクエラーが検出されない場合は（Ｓ７１４−Ｙｅｓ）、ディスク（DISK）ＬＥＤ２１１−１２が、例えば緑色に点灯される（Ｓ７１５）。
【００７１】
以下、所定のルーチンに従って、ステップＳ７１０で読み込まれたデータが光ディスクＭに書き込まれる（Ｓ７１６）。なお、ディスクＭにデータが書き込まれている間は、ディスクＬＥＤ２１１−１２が、例えば緑色に点滅される（Ｓ７１７）。
【００７２】
この間、キャンセルボタン２１１−５がオンされたか否か（Ｓ７１８）のチェック（オン＝Ｙｅｓ）である入力待ち（Ｓ７２０）が、書き込み（Ｓ７１９）が完了する（Ｓ７１９−Ｙｅｓ）まで継続される（この例では「Ｎｏ」が維持されている）。
【００７３】
書き込みが完了すると、ディスクＭがイジェクトされ（Ｓ７２１）、ディスクＬＥＤ２１１−１２がオフ（消灯）されたのち（Ｓ７２２）、ステータスＬＥＤ２１１−１１がオフ（消灯される）。
【００７４】
なお、各ステップにおけるエラー処理については、説明を省略する。
【００７５】
以上説明した工程（ステップ）に従って、書き込み（BURN（「一発転送」））ボタン２１１−４のオンにより、カメラ装置１のＨＤＤ１２２に、予め規定された所定の大きさの記録領域に格納されたデータ群は、一回の操作（「一発転送」ボタンのオン）により、例えばＤＶＤ−Ｒディスクに転送され、書き込まれる。
【００７６】
なお、転送には、ＨＤＤ１２２の記録領域１２２−１（１２２−２〜ｎ）において保持されているデータ群を、転送先に転送したのち、記録領域１２２−１（１２２−２〜ｎ）において保持されているデータ群を消去する「移動」と記録領域１２２−１（１２２−２〜ｎ）において保持されているデータ群を、そのまま保持する「複製」とが規定されている。この「移動」と「複製」は、詳述しないが、カメラ装置１における「メニュー画面」から、（ユーザが）任意に設定可能である。
【００７７】
また、ＨＤＤ１２２（カメラ装置１内）に「一発転送」のために確保された領域の容量が、メモリカード（ＳＤ記録媒体）１２３（カメラ装置１内）のサイズである場合には、上述したＰＣ２２１との接続が必要なく、所定のタイミングでカメラ装置１のＬＣＤ２２に表示される『一発転送』ボタン２２−２０１に対するＯＫボタン２７の操作からの転送指示（ＯＫボタン２７のオン）により、カメラ装置１に予め用意されているＳＤ記録媒体１２３に、転送対象のデータ群が転送される。
【００７８】
同様に、ＨＤＤ１２２（カメラ装置１内）に「一発転送」のために確保された領域の容量が、カメラ装置１に接続可能な専用の書き込み機器２１１に用意された記録媒体の容量に合わせられている場合においても、実質的に、図７に示したフローに従って、一発転送可能であることはいうまでもない。
【００７９】
なお、この発明は、上述した実施の形態に限定されるものではなく、その実施の段階ではその要旨を逸脱しない範囲で種々な変形もしくは変更が可能である。また、個々の実施の形態は、可能な限り適宜組み合わせて実施されてもよく、その場合、組み合わせによる効果が得られる。
【図面の簡単な説明】
【００８０】
【図１】この発明の実施の形態が適用可能な動画および静止画ならびに音声等が記録可能なカメラ装置の一例を示す概略図。
【図２】図１に示したカメラ装置の制御系の一例を説明する概略ブロック図。
【図３】図１および図２に示したカメラ装置と接続される外部記録装置の接続例を説明する概略図。
【図４】図３に示した外部記録装置の表示系および信号入力系の配列の例を説明する概略図。
【図５】図１ないし図３に示したカメラ装置の記録領域の構成の一例を示す概略図。
【図６】図１ないし図３に示したカメラ装置の記録領域の構成の一例を示す概略図。
【図７】図５または図６に示した記録領域に記録されたデータ群の転送方法の一例を説明するフローチャート。
【図８】図５または図６に示した記録領域に記録されたデータ群の転送方法の一例を説明するフローチャート。
【符号の説明】
【００８１】
１…カメラ装置、１１…レンズ、１５…アダプタ接続部、２２…ＬＣＤ（表示手段）、２６…ジョグダイアル、２７…決定ボタン、３１…ＣＣＤセンサ、１０１…アナログ−デジタル変換部、１０２…カメラ信号処理回路、１０３…メモリコントローラ、１０４…画像表示処理部、１０５…ビデオインタフェースおよびＯＳＤ処理部、１０６…ビデオデコーダ、１０７…液晶パネル駆動回路、１０８…圧縮／伸長部、１０９…メモリ回路、１１０…バッファ（ワーク）メモリ、１１１…ＣＰＵ（設定手段、転送制御手段）、１２１…記録メディアコントローラ、１２２…ＨＤＤ（ハードディスク装置、第１の記録媒体（第１の記録領域）、第３の記録媒体（第３の記録領域））、１２３…メモリカード、２２−２０１…「一発転送」ボタン（表示）、２０１…クレードル、２１１…専用書き込み機器、２１１−２…パワー（POWER）ＬＥＤ、２１１−３…イジェクト／クローズ（EJECT/COLSE）ボタン、２１１−４…BURN（「一発転送」））ボタン、２１１−１１…ステータス（SATATUS）ＬＥＤ、２１１−１２…ディスク（DISC）ＬＥＤ、２１２…ＣＰＵ、２１３…インタフェース、２１４…Ｉ／Ｏポート、２１５…一発転送ボタン、２１６…メインメモリ、２１７…バッファメモリ、２１８…光ディスクドライブ、２２１…ＰＣ（パーソナルコンピュータ、外部装置、管理装置）、２２２…ＭＰＵ、２２３…ネットワークコントローラ、２２４…ＨＤＤ（主記録装置）、２２５…メインメモリ、２２６…ＲＡＭ（ワークメモリ）、２２７…表示制御部、２２８…表示装置、２２９…光ディスクドライブ、Ｍ…光ディスク（第２の記録媒体（第２の記録領域））。
【図１】
2006309896.tif 000003
【図２】
2006309896.tif 000004
【図３】
2006309896.tif 000005
【図４】
2006309896.tif 000006
【図５】
2006309896.tif 000007
【図６】
2006309896.tif 000008
【図７】
2006309896.tif 000009
【図８】
2006309896.tif 000010